(57)【特許請求の範囲】
【請求項１】
互いに対向して設けられて前方に突出する一対の支持片と、これらの支持片の後端部を支持する基部と、を有し、前記支持片同士の間に、横断面略楕円形状の棒状化粧料の後端部を把持する棒状化粧料支持体において、
前記支持片は、前記横断面略楕円形状の棒状化粧料のその短軸に係る外周面に比して曲率の大きい長軸に係る外周面を支持するものであり、
当該支持片は、前記棒状化粧料の短軸位置の外形より内側に位置し、該支持片の内周面が前記棒状化粧料の外周面の短軸位置までは延在しない構成とされ、且つ、該支持片の側面同士が前記長軸と平行を成し、
当該支持片の内周形状は、前記棒状化粧料の長軸に係る外周面に略合致する形状とされ、
当該支持片の内周面には、横断面形状において尖った先端を有し、装着される棒状化粧料の外周面にめり込む突条が、前記長軸を間に挟んだ両側に設けられると共に軸線方向に沿って形成され、
前記突条は、当該突条の横断面形状における先端が前記長軸と交差する方向を向くように設けられていることを特徴とする棒状化粧料支持体。
【請求項２】
前記突条は、当該突条の横断面形状における先端が、前記長軸に直交する方向を向くように設けられていることを特徴とする請求項１記載の棒状化粧料支持体。
【請求項３】
前記突条は、当該突条の横断面形状における先端が、前記棒状化粧料の軸心を向くように設けられていることを特徴とする請求項１記載の棒状化粧料支持体。
【請求項４】
前記突条は、当該突条の横断面形状における先端が、前記棒状化粧料の長軸上の位置で、前記棒状化粧料の軸心より当該突条を有する支持片側の位置を向くように設けられていることを特徴とする請求項１記載の棒状化粧料支持体。
【発明の詳細な説明】
【技術分野】
【０００１】
本発明は、横断面略楕円形状の棒状化粧料を把持する支持片を備えた棒状化粧料支持体に関する。
【背景技術】
【０００２】
従来、横断面略楕円形状を成す棒状化粧料の繰出容器として、横断面略楕円形状の棒状化粧料に外形が略合致し当該棒状化粧料の後端面が突き当てられる基部及び当該基部の外周面において対向して一対配設されて前方へ突出し棒状化粧料の後端部の短軸に係る外周面を把持する支持片（把持片）を有する棒状化粧料支持体（チャック部）と、棒状化粧料及び基部の進退を可能とする横断面略楕円形状の棒状化粧料孔（芯出孔部）の周面に支持片の進退を可能とする支持片溝（ガイド溝部）を連設して成る進退孔（芯出ガイド孔）を有する先筒（テーパ容器）と、この先筒の後端側に回転可能に連結された操作筒（カバー容器）と、を具備し、上記棒状化粧料の後端部の短軸に係る外周面を把持する支持片は、その内周形状が、当該棒状化粧料の短軸に係る外周面に略合致する形状とされていて、先筒と操作筒の相対回転による螺合機構の動作に従い棒状化粧料支持体が進退孔で進退され支持片に把持された棒状化粧料が先筒の先端から出没する棒状化粧料繰出容器が知られている（例えば、特許文献１参照）。
【特許文献１】特開２００４−９７５４９号公報
【発明の開示】
【発明が解決しようとする課題】
【０００３】
しかしながら、上記棒状化粧料支持体にあって、支持片同士の間に横断面略楕円形状の棒状化粧料を嵌挿して把持させる場合、当該棒状化粧料が支持片同士の間で回り易くズレ易く斜めに把持される傾向があり把持強度が不安定となって、その結果、例えば棒状化粧料繰出容器の落下等による衝撃や振動等の外力作用時に棒状化粧料が支持片から抜けてしまう虞や棒状化粧料が折れてしまう虞がある。
【０００４】
本発明は、このような課題を解決するために成されたものであり、例えば落下等による衝撃や振動等の外力作用時に、棒状化粧料の支持片からの抜け及び棒状化粧料の折れが防止される棒状化粧料支持体を提供することを目的とする。
【課題を解決するための手段】
【０００５】
ここで、本発明者らは鋭意研究を重ねた結果、支持片同士の間で横断面略楕円形状の棒状化粧料が回り易くズレ易く斜めに把持されるのは、棒状化粧料に対する支持片による案内性・拘束性が低いことが原因であり、この案内性・拘束性が低いのは、棒状化粧料の曲率の小さい部分を把持部分としていることを見出し、支持片が、横断面略楕円形状の棒状化粧料のその短軸に係る外周面に比して曲率の大きい長軸に係る外周面を把持するようにすれば案内性・拘束性が高められることを見出した。
【０００８】
そこで、本発明による棒状化粧料支持体は、互いに対向して設けられて前方に突出する一対の支持片と、これらの支持片の後端部を支持する基部と、を有し、支持片同士の間に、横断面略楕円形状の棒状化粧料の後端部を把持する棒状化粧料支持体において、支持片は、前記横断面略楕円形状の棒状化粧料のその短軸に係る外周面に比して曲率の大きい長軸に係る外周面を支持するものであり、当該支持片は、棒状化粧料の短軸位置の外形より内側に位置し、該支持片の内周面が棒状化粧料の外周面の短軸位置までは延在しない構成とされ、且つ、該支持片の側面同士が長軸と平行を成し、当該支持片の内周形状は、棒状化粧料の長軸に係る外周面に略合致する形状とされ、当該支持片の内周面には、横断面形状において尖った先端を有し、装着される棒状化粧料の外周面にめり込む突条が、長軸を間に挟んだ両側に設けられると共に軸線方向に沿って形成され、突条は、当該突条の横断面形状における先端が長軸と交差する方向を向くように設けられていることを特徴としている。
【０００９】
このような棒状化粧料支持体によれば、対向する一対の支持片により、横断面略楕円形状を成す棒状化粧料の後端部のその長軸側の外周面が把持されると共に、支持片の内周形状が、当該把持する棒状化粧料の長軸側の外周面に略合致する形状とされているため、把持部分の曲率が従来の短軸側を把持する場合の曲率に比して大きく、棒状化粧料に対する案内性・拘束性が高められ、棒状化粧料を支持片同士の間に嵌挿し装着する際に回り難くズレ難く、棒状化粧料が支持片同士の間にほぼ真っ直ぐに把持され把持強度が安定して確保される。このため、例えば落下等による衝撃や振動等の外力作用時に棒状化粧料の支持片からの抜け及び棒状化粧料の折れが防止される。また、支持片の内周面に、長軸を間に挟んだ両側に設けられると共に軸線方向に沿って形成されその横断面形状における先端が尖っている突条が、装着される棒状化粧料の外周面に良好にめり込み、当該棒状化粧料との接触面積が増大され摩擦抵抗が増大される。このため、棒状化粧料の支持片からの抜け及び支持片間での回転ズレが一層防止される。また、この長軸を間に挟み両側に設けて成る（長軸を除く位置に設けて成る）突条の横断面形状における先端が長軸と交差する方向を向いていることから、装着される棒状化粧料により突条を介して支持片に作用する力が、長軸方向のみに全部が作用するのでは無く短軸方向にも分けられて作用し、支持片が長軸方向の外側へ開くことが低減される。このため、棒状化粧料の支持片からの抜けがより一層防止される。
【００１０】
ここで、突条は、当該突条の横断面形状における先端が、長軸に直交する方向を向くように設けられていることを特徴としている。また、突条は、当該突条の横断面形状における先端が、棒状化粧料の軸心を向くように設けられていることを特徴としている。また、突条は、当該突条の横断面形状における先端が、棒状化粧料の長軸上の位置で、棒状化粧料の軸心より当該突条を有する支持片側の位置を向いていると、装着される棒状化粧料により突条を介して支持片に作用する力が、突条の横断面形状における先端が長軸上の位置で軸心より反対側の支持片側に向いている場合に比して、長軸方向に小さくされると共に短軸方向に大きくされるため、支持片が長軸方向の外側へ開くことが一層低減され、棒状化粧料の支持片からの抜けがより一層防止される。
【発明の効果】
【００１１】
このように本発明によれば、横断面略楕円形状の棒状化粧料が支持片同士の間にほぼ真っ直ぐに把持されて把持強度が安定して確保されるため、例えば落下等による衝撃や振動等の外力作用時の当該棒状化粧料の抜け及び折れを防止することが可能となる。また、支持片と棒状化粧料との接触面積が増大し摩擦抵抗が増大するため、上記棒状化粧料の抜け及び回転を一層防止することが可能となる。また、支持片の長軸方向外側への開きが低減されるため、上記棒状化粧料の抜けをより一層防止することが可能となる。
【発明を実施するための最良の形態】
【００１２】
以下、本発明による棒状化粧料支持体の好適な実施形態について図１〜図１１を参照しながら説明する。なお、各図において、同一の要素には同一の符号を付し、重複する説明は省略する。
【００１３】
図１〜図８は、本発明の第一実施形態を、図９〜図１１は、本実施形態の第二〜第四実施形態を各々示すもので、図１は、本発明の第一実施形態に係る棒状化粧料支持体を備えた棒状化粧料繰出容器を示す斜視図、図２は、棒状化粧料繰出容器の縦断斜視図、図３は、図２のIII-III矢視図、図４及び図５は、先筒を示す各縦断斜視図、図６は、棒状化粧料及び棒状化粧料支持体を示す斜視図、図７は、棒状化粧料支持体の要部を示す斜視図、図８は、棒状化粧料支持体の横断面図であり、ここで用いられる棒状化粧料は、例えば、アイライナー、アイブロー、リップライナー等を始めとした種々の固形状の棒状化粧料であって、横断面略楕円形状の棒状化粧料である。
【００１４】
図１に示すように、棒状化粧料繰出容器１００は、全体形状が筆記具の如き細長い丸棒状（スティック状）を成し良好な外観を呈するもので、容器内に収容される棒状化粧料Ｍを使用者が必要に応じて適宜出没可能とするものである。
【００１５】
この棒状体繰出容器１００は、図１及び図２に示すように、円筒状の先筒１と、その一方端側（図示左側）に先筒１を装着した円筒状の操作筒（本体）２と、この操作筒２の他方端側（図示右側）に着脱可能に装着され、当該他方端側に装着された化粧チップ５を覆い保護するキャップ６と、を外形構成として具備し、これらの先筒１及び操作筒２内に、図２に示すように、棒状化粧料Ｍと、これを支持する棒状化粧料支持体３と、螺合機構を構成する螺子筒４とを収容して成る。
【００１６】
螺子筒４は、その内周面の軸線方向略中央に一対の対向する螺合突起４ａを螺合機構を構成する雌螺子として有している。この螺子筒４は、操作筒２に内挿されて軸線方向中央辺りに位置し、当該操作筒２に回転不能且つ軸線方向移動不能に連結されている。
【００１７】
先筒１は、その先端の外径が細くなる先細り形状を有する円筒状とされている。この先筒１の軸線方向に貫通する筒孔は、図２〜図５に示すように、前半部の第一の進退孔１ｃと、この第一の進退孔１ｃの後端に同軸に連続して後端まで延びる第二の進退孔１ｄと、を具備している。第一の進退孔１ｃは、横断面略楕円形状の棒状化粧料Ｍを収容し摺動を可能とする棒状化粧料孔１ａを備え、この棒状化粧料孔１ａの長軸ｘに係る内周面に、棒状化粧料支持体３の支持片３ｄ（図６参照；詳しくは後述）を収容し摺動を可能とする支持片溝１ｂを、棒状化粧料孔１ａの先端近傍から後方に向かって一対対向して連設した構成とされている。
【００１８】
第二の進退孔１ｄは、棒状化粧料支持体３の軸体部３ｂ（図６参照；詳しくは後述）を収容し摺動を可能とするものである。この第二の進退孔１ｄは、第一の進退孔１ｃと略同形状を成す非円形形状の本体孔１ｅを備え、この本体孔１ｅの短軸ｙに係る内周面に、軸体部３ｂを構成する回り止め３ｉ（図６参照；詳しくは後述）を収容し摺動を可能とする回り止め溝１ｆを一対対向して連設した構成とされている。この回り止め溝１ｆの軸線方向先端部分が回り止め３ｉが突き当たる前進限とされ、棒状化粧料支持体３の前進限に対応するものとされている。
【００１９】
そして、これらの第一、第二進退孔１ｃ，１ｄを備えた先筒１は、その後端部が操作筒２の一方端側に内挿されて回転自在且つ軸線方向移動不能に連結されている。
【００２０】
棒状化粧料支持体３は、樹脂により形成され、図６に示すように、棒状化粧料Ｍの後端部を支持するための支持部３ａと、この支持部３ａより後側の軸体部３ｂとを備えている。軸体部３ｂは、軸線方向に延在する軸体であり、支持部３ａの後端に連設された細径部３ｋと、軸線方向に沿って延在し螺合機構を構成する雄螺子３ｅを備えた螺子部３ｍと、細径部３ｋと螺子部３ｍとに連設されてこれらを連結する連結部３ｊと、を具備し、この連結部３ｊには、図６及び図７に示すように、その後端部の短軸ｙ方向の外周面に、外方に突出する回り止め３ｉが一対対向して設けられている。
【００２１】
この軸体部３ｂより前側の支持部３ａは、棒状化粧料Ｍの後端面を突き当てるための基部３ｃと、この基部３ｃに突き当てられた棒状化粧料Ｍの後端部を支持するための一対の支持片３ｄと、を備えている。基部３ｃは、図７及び図８に示すように、横断面略楕円形状の棒状化粧料Ｍに略合致する横断面略楕円形状の短尺な略楕円柱に構成されている。
【００２２】
支持片３ｄは、横断面略楕円形状の基部３ｃの長軸ｘに係る外周面において前方に突出するように設けられている。この支持片３ｄは、図３に示すように、その内周面が棒状化粧料Ｍの長軸ｘに係る外周面に略合致し支持片３ｄ，３ｄ同士の間に棒状化粧料Ｍを把持する。この棒状化粧料Ｍの把持に関しては後述する。そして、支持片３ｄは、図８に示すように、その側面（図示上下面）同士が互いに平行を成すと共にその外面が大きいＲの円弧面とされ、短軸ｙ方向（図示上下方向）において、基部３ｃの短軸位置の外形、すなわち、棒状化粧料Ｍの短軸位置の外形より内側に位置する（棒状化粧料Ｍの短軸位置の外形より短軸ｙ方向において外側に出ない）ように構成されている。そして、この支持片３ｄは、その内周面が、棒状化粧料Ｍの外周面の短軸ｙ位置までは延在しない。
【００２３】
この支持片３ｄの各々の内周面には、図７及び図８に示すように、軸線方向に延びる突条３ｆが複数設けられている。本実施形態においては、図８に示すように、一個の支持片３ｄに対して二個の突条３ｆが一対として長軸ｘを挟み対向して設けられている。この突条３ｆは、嵌挿され装着される棒状化粧料Ｍの外周面にめり込ませるためのものであり、横断面三角形状を成し、内側に向かう尖った先端３ｇを軸線方向（紙面垂直方向）に沿って有している。この突条３ｆは、支持片３ｄの内周面における周方向の端縁Ｍｙの近傍に配設されている。
【００２４】
また、この突条３ｆは、当該突条３ｆの尖った先端３ｇが長軸ｘと交差する方向を向くように（交差する方向に向かって延びるように）、換言すれば、当該突条３ｆの尖った先端３ｇが長軸ｘと平行を成す方向に向かないように設けられている。この実施形態では、突条３ｆは、その先端３ｇが長軸ｘに直交する方向を向くように（短軸ｙと平行を成す方向を向くように）設けられている。
【００２５】
また、支持片３ｄの内周面には、図７及び図８に示すように、長軸ｘ上の位置に、長軸ｘに対して直交する平坦面３ｈが軸線に沿って設けられている。この平坦面３ｈは、棒状化粧料Ｍのガタツキを防止するためのものである。なお、図８中の長軸ｘと短軸ｙが交わる位置の符号Ｏは、棒状化粧料支持体３及び棒状化粧料Ｍの軸心を示している。
【００２６】
この支持部３ａ及び軸体部３ｂを有する棒状化粧料支持体３は、図２に示すように、その基部３ｃが先筒１の棒状化粧料孔１ａに進入すると共にその支持片３ｄが先筒１の支持片溝１ｂに進入するようにして進退孔１ｃに内挿されている。また、この棒状化粧料支持体３は、その軸体部３ｂが先筒１及び操作筒２に内挿され、その回り止め３ｉが先筒１の回り止め溝１ｆに進入すると共に、その螺子部３ｍが螺子筒４に内挿されてその雄螺子３ｅが螺合突起４ａに係合する螺合状態とされている。
【００２７】
そして、図３に示すように、先筒１の第一の進退孔１ｃは、その棒状化粧料孔１ａが棒状化粧料Ｍ及び基部３ｃの短軸ｙに係る外周面に近接すると共に、その支持片溝１ｂが支持片３ｄの側面（図示上下面）を除く外周面に近接する構成とされ、先筒１の第二の進退孔１ｄは、その本体孔１ｅが連結部３ｊの外周面に近接すると共に、その回り止め溝１ｆが回り止め３ｉの外周面に近接する構成とされている。
【００２８】
ここで、上記棒状化粧料Ｍを組み付ける際にあっては、棒状化粧料Ｍは、図２に示すように、その後端側から先筒１の棒状化粧料孔１ａに挿入され、進退孔１ｃに収容されている支持片３ｄ，３ｄ同士の間に嵌挿されながら基部３ｃに突き当てられる。
【００２９】
この時、図２及び図３に示すように、支持片３ｄ，３ｄにより、横断面略楕円形状を成す棒状化粧料Ｍの後端部のその長軸ｘ側の外周面が把持されると共に、この支持片３ｄの内周形状が、当該把持する棒状化粧料Ｍの長軸ｘ側の外周面に略合致する形状とされているため、把持部分の曲率は従来の短軸ｙ側を把持する場合の曲率に比して大きく、棒状化粧料Ｍに対する案内性・拘束性が高められている。このため、棒状化粧料Ｍは、支持片３ｄ，３ｄ同士の間で回り難くズレ難く、支持片３ｄ，３ｄ同士の間にほぼ真っ直ぐに把持され、棒状化粧料Ｍの把持強度が安定して確保されている。
【００３０】
また、この棒状化粧料Ｍの装着の際にあっては、支持片３ｄの内周面に、長軸ｘを間に挟んだ両側に設けられると共に軸線方向に沿って形成された突条３ｆが、装着される棒状化粧料Ｍの外周面にめり込み、当該棒状化粧料Ｍとの接触面積が増大され摩擦抵抗が増大されていると共に、この長軸ｘを間に挟み両側に設けて成る（長軸を除く位置に設けて成る）突条３ｆが、支持片３ｄの内周面における周方向の端縁Ｍｙの近傍に配設されていることから、装着される棒状化粧料Ｍにより突条３ｆを介して支持片３ｄに作用する力が、短軸ｙ方向に大きく分けられ、従って、支持片３ｄが長軸ｘ方向の外側へ開くことが低減されている。
【００３２】
ここで、特に実施形態にあっては、突条３ｆの先端３ｇが尖っているため、当該突条３ｆが棒状化粧料Ｍの外周面に良好にめり込むようになっている。また、長軸ｘを間に挟み両側に設けて成る突条３ｆの尖った先端３ｇが、長軸ｘと交差する方向を向いていることから、装着される棒状化粧料Ｍにより突条３ｆを介して支持片３ｄに作用する力が、長軸ｘ方向のみに全部が作用するのでは無く短軸ｙ方向にも分けられて作用し、特に本実施形態においては、突条３ｆを介して支持片３ｄに作用する力が殆ど短軸ｙ方向に作用し、従って、支持片３ｄが長軸ｘ方向の外側へ開くことが一層低減されている。
【００３３】
なお、このように突条３ｆの先端３ｇが尖っている場合には、支持片３ｄの内周面に対する突条３ｆの配設位置は、支持片３ｄの内周面における周方向の端縁Ｍｙの近傍位置が特に好ましいが、これに限定されるものではなく、端縁Ｍｙの近傍以外の位置であっても、支持片３ｄの長軸ｘ方向外側への開きが、上記突条３ｆの尖った先端３ｇの向く方向の作用により低減される。
【００３４】
また、棒状化粧料Ｍの装着の際にあっては、支持片３ｄの内周面で長軸ｘ上の位置に、長軸ｘに対して直交する平坦面３ｈが軸線に沿って設けられているため、棒状化粧料Ｍの装着時にあって棒状化粧料Ｍが少しズレた場合にあっても棒状化粧料Ｍが平坦面３ｈに確実に当接し、これにより、当該棒状化粧料Ｍのガタツキが防止されている。
【００３５】
なお、突条３ｆが支持片３ｄの内周面であって長軸ｘ上に設けられている場合、又は、突条３ｆが支持片３ｄの内周面であって長軸ｘを除く位置でその尖った先端３ｇの向きが長軸ｘと平行を成すように設けられている場合には、装着される棒状化粧料Ｍにより突条３ｆを介して支持片３ｄに作用する力が、長軸ｘ方向のみに全部が作用し、支持片３ｄの長軸ｘ方向の外側への開きが大きくなるため、採用できない。
【００３６】
このように構成された図２に示す棒状化粧料繰出容器１００では、操作筒２と先筒１とを相対回転すると、螺子筒４の螺合突起４ａと棒状化粧料支持体３の雄螺子３ｅで構成される螺合機構、棒状化粧料支持体３の回り止め３ｉと先筒１の回り止め溝１ｆで構成される回り止め機構に従い、棒状化粧料支持体３が進退し、棒状化粧料Ｍが先筒１の先端から出没し塗布が可能とされる。
【００３７】
そして、特に本実施形態の棒状化粧料繰出容器１００によれば、例えば、当該棒状化粧料繰出容器１００を落とす等して衝撃や振動等の外力が作用しても、支持片３ｄにより、棒状化粧料Ｍが回り難くズレ難く支持片３ｄ，３ｄ同士の間にほぼ真っ直ぐに把持され棒状化粧料Ｍの把持強度が安定して確保されているため、棒状化粧料Ｍの支持片３ｄからの抜け及び棒状化粧料Ｍの折れが防止されている。
【００３８】
また、支持片３ｄの突条３ｆにより、棒状化粧料Ｍとの接触面積が増大し摩擦抵抗が増大しているため、棒状化粧料Ｍの支持片３ｄからの抜け及び支持片３ｄ，３ｄ間での回転ズレが一層防止されている。
【００３９】
また、支持片３ｄの突条３ｆにより、支持片３ｄが長軸ｘ方向の外側へ開くことが低減されているため、棒状化粧料Ｍの支持片３ｄからの抜けがより一層防止されている。
【００４０】
また、支持片３ｄの平坦面３ｈにより、棒状化粧料Ｍが平坦面３ｈに確実に当接し当該棒状化粧料Ｍのガタツキが防止されているため、棒状化粧料Ｍの支持片３ｄからの抜け及び折れが一層防止されている。なお、平坦面３ｈに代えて凸部を設けた場合には、棒状化粧料Ｍが少しズレた場合に当該棒状化粧料Ｍが凸部に当接しない場合があるため、好ましくない。
【００４１】
図９は、本発明の第二実施形態に係る棒状化粧料支持体を示す横断面図であり、図８に対応する図である。この第二実施形態の棒状化粧料支持体１３が第一実施形態の棒状化粧料支持体３と違う点は、その尖った先端３ｇが長軸ｘに直交する方向を向く第一実施形態の突条３ｆを、その尖った先端１３ｇが軸心Ｏを向く突条１３ｆに代えた点であり、支持片３ｄの内周面に対する突条１３ｆの配設位置は、第一実施形態と同様に、支持片３ｄの内周面における周方向の端縁Ｍｙの近傍である。
【００４２】
このような第二実施形態にあっても、突条１３ｆが、長軸ｘを間に挟んだ両側に設けられ支持片３ｄの内周面における周方向の端縁Ｍｙの近傍に配設されているため、装着される棒状化粧料Ｍにより突条１３ｆを介して支持片３ｄに作用する力が、短軸ｙ方向に大きく分けられ、支持片３ｄが長軸ｘ方向の外側へ開くことが低減されている。
【００４３】
また、突条１３ｆが、長軸ｘを間に挟んだ両側に設けられてその尖った先端１３ｇが長軸ｘと交差する方向を向くように設けられているため、装着される棒状化粧料Ｍにより突条１３ｆを介して支持片３ｄに作用する力が、長軸ｘ方向のみに全部が作用するのでは無く短軸ｙ方向にも分けられて作用し、支持片３ｄが長軸ｘ方向の外側へ開くことが一層低減されている。
【００４４】
なお、突条１３ｆの尖った先端１３ｇの向く方向は、短軸ｙに対して所定の鋭角の角度を有しているため、支持片３ｄの長軸ｘ方向の外側への開き防止の効果は、第一実施形態に比して小さくなる。
【００４５】
図１０は、本発明の第三実施形態に係る棒状化粧料支持体の横断面図であり、図８に対応する図である。この第三実施形態の棒状化粧料支持体２３が第二実施形態の棒状化粧料支持体１３と違う点は、その尖った先端１３ｇが軸心Ｏを向く第二実施形態の突条１３ｆを、その尖った先端２３ｇが、長軸ｘ上の位置で軸心Ｏより手前側を向く突条２３ｆに代えた点である。すなわち、突条２３ｆは、その尖った先端２３ｇが、長軸ｘ上の位置で軸心Ｏより当該突条２３ｆを有する支持片３ｄ側の位置を向く構成とされている。また、支持片３ｄの内周面に対する突条２３ｆの配設位置は第一、第二実施形態と同じである。
【００４６】
このように構成しても、支持片３ｄが長軸ｘ方向の外側へ開くことが低減されるというのはいうまでもなく、加えて、当該突条２３ｆの尖った先端２３ｇの向く方向と長軸ｘとが成す鋭角の角度が、尖った先端１３ｇが軸心Ｏを向く第二実施形態に対して大きくなるため、突条２３ｆを介して支持片３ｄに作用する力が、第二実施形態に比して短軸ｙ方向に大きく分けられ（長軸ｘ方向に小さく分けられ）、支持片３ｄの外側への開き防止の効果は、第二実施形態に比して大きくなる。
【００４７】
なお、これより支持片の開き防止効果は多少減ずるが、突条を、当該突条の尖った先端が長軸ｘ上の位置で軸心Ｏより反対側（対向する側）の支持片側に向くように構成することも可能である。このように構成しても、突条を介して支持片に作用する力が、短軸ｙ方向に分けられ、支持片の開き防止効果が生じるというのはいうまでもない。
【００４８】
図１１は、本発明の第四実施形態に係る棒状化粧料支持体の横断面図であり、図８に対応する図である。この第四実施形態の棒状化粧料支持体３３が先の実施形態の棒状化粧料支持体３，１３，２３と違う点は、一個の支持片３ｄに対して二個で一対の突条を二組設けた点である。
【００４９】
具体的には、この第四実施形態にあっては、長軸ｘを挟んで対向する一対の突条３３ｆ，３３ｆは、支持片３ｄの内周面における周方向の端縁Ｍｙの近傍に配設され、長軸ｘを挟んで対向する一対の突条３３ｆｆ，３３ｆｆは、支持片３ｄの内周面における突条３３ｆ，３３ｆより長軸ｘ側の位置（端縁Ｍｙと長軸ｘとの略中間位置）に配設されている。
【００５０】
また、突条３３ｆは、その尖った先端３３ｇが軸心Ｏを向き、突条３３ｆｆは、その尖った先端３３ｇｇが、長軸ｘ上の位置で軸心Ｏより当該突条３３ｆｆを有する支持片３ｄ側の位置を向く構成とされている。
【００５１】
このような第四実施形態にあっては、突条３３ｆに関しては、当該突条３３ｆが、支持片３ｄの内周面における周方向の端縁Ｍｙの近傍に配設される場合の作用・効果を奏すると共に、突条３３ｆの尖った先端３３ｇが、長軸ｘと交差する方向を向くように設けられている場合（突条の尖った先端が軸心Ｏを向く場合）の作用・効果を奏し、すなわち第二実施形態の突条１３ｆと略同様な作用・効果を奏し、また、突条３３ｆｆに関しては、当該突条３３ｆｆの尖った先端３３ｇｇが長軸ｘと交差する方向を向くように設けられている場合（突条の尖った先端が長軸ｘ上の位置で軸心Ｏより当該突条を有する支持片側の位置を向く場合）の作用・効果を奏する。
【００５２】
以上、本発明をその実施形態に基づき具体的に説明したが、本発明は上記実施形態に限定されるものではなく、例えば、第一実施形態〜第三実施形態においては、一個の支持片３ｄに対して二個で一対の突条を設け、第四実施形態においては、一個の支持片３ｄに対して二個で一対の突条を二組設けているが、その対の組数は限定されるものではなく、また、一個の支持片３ｄの突条の尖った先端の向きも、第四実施形態のように突条の組（対）ごとに長軸ｘ上の異なる位置に向かうように構成しても良く、長軸ｘ上の略同一位置に向かうように構成しても良く、ばらばらの方向を向くようにしても良く、さらには、突条は必ずしも長軸ｘを間に挟んで対向（正対）している必要は無く、互いに長軸ｘ方向にずれていても良く、要は、横断面形状において尖った先端を有する突条にあっては、当該突条が長軸ｘを間に挟んだ両側に設けられる（互いが長軸ｘ方向にずれていても可）と共に軸線方向に沿って形成され、その尖った先端が長軸ｘと交差する方向を向くように設けられていれば、支持片３ｄが長軸ｘ方向の外側へ開くことが低減される。因みに、支持片３ｄの長軸ｘ方向の外側への開きを防止する観点からいえば、突条の尖った先端の向かう方向は、軸心Ｏより当該突条を有する支持片側に行くほど好ましい。
【００５４】
また、上記実施形態においては、螺合機構を、棒状化粧料支持体３の雄螺子３ｅ及び螺子筒４の螺合突起４ａにより構成しているが、螺合機構は、螺旋状部、又は、間欠的に配される突起群、又は、螺旋状且つ間欠的に配される突起群等、螺子山と同様な働きをするものであれば良い。
【００５５】
また、本発明は、例えば特開２００１−２５２１３４号公報に記載のような、内部に棒状化粧料支持体、螺合機構を収容したカートリッジである先筒を、本体に着脱可能且つ回転可能に装着し、先筒と本体とを相対回転すると、螺合機構の動作に従い棒状化粧料支持体が進退して棒状化粧料が先筒の先端から出没する構成の棒状化粧料繰出容器に対しても適用可能であり、また、例えば特開平１１−７５９３４号公報に記載のような、先筒と、この先筒の後端側に回転可能に連結される（実際には中筒を介して回転可能に連結される）本体と、を備え、先筒には、棒状化粧料を支持する支持片が収容され、本体には、その内周側に軸線方向に延在する雌螺子が設けられると共に、支持片を備える支持棒のその後側に配設される押棒が収容され、この押棒の後端部に設けられた突部が、本体の内周側の雌螺子に螺合して螺合機構を構成し、先筒と本体とを相対回転すると、螺合機構の動作に従い押棒が進退し、前進する押棒に支持棒が押されて棒状化粧料が先筒の先端から突出する一方で、先筒と本体とを逆方向に相対回転すると、螺合機構の動作に従い押棒が後退し支持棒に係止された戻しバネの作用で当該支持棒が先筒内の元の位置迄引き戻されて棒状化粧料が先筒の先端から没入し、加えて、先筒を本体から抜脱すると、戻しバネの作用で支持棒が先筒内の元の位置迄引き戻されて棒状化粧料が先筒の先端から没入する構成の棒状化粧料繰出容器に対しても適用可能であり、さらには、例えば特開２００４−９７５４９号公報に記載のような、後半部にスリットパイプを備える先筒と、先筒のスリットパイプ部分を収容し当該先筒に回転可能に連結される本体と、を備え、先筒には、棒状化粧料を支持する支持片が収容され、支持片を備える支持棒の後端部に設けられた突部が、スリットパイプのスリットを通して外方に突出し、この突部が、本体の内周側に形成され軸線方向に延在する雌螺子や螺旋溝等の螺子部に螺合して螺合機構を構成し、先筒と本体とを相対回転すると、螺合機構の動作に従い支持棒が進退して棒状化粧料が先筒の先端から出没する構成の棒状化粧料繰出容器に対しても適用可能であり、要は、互いに対向して設けられて前方に突出する一対の支持片と、これらの支持片の後端部を支持する基部と、を有し、支持片同士の間に、横断面略楕円形状の棒状化粧料の後端部を把持する棒状化粧料支持体、このような棒状化粧料支持体を備える棒状化粧料繰出容器全てに対して適用可能である。
【図面の簡単な説明】
【００５６】
【図１】本発明の第一実施形態に係る棒状化粧料支持体を備えた棒状化粧料繰出容器を示す斜視図である。
【図２】図１に示す棒状化粧料繰出容器の縦断斜視図である。
【図３】図２のIII-III矢視図である。
【図４】図２中の先筒を示す縦断斜視図である。
【図５】図４に示す先筒の直交縦断斜視図である。
【図６】図２中の棒状化粧料及び棒状化粧料支持体を示す斜視図である。
【図７】図６中の棒状化粧料支持体の回り止めより前側を拡大して示す斜視図である。
【図８】図７に示す棒状化粧料支持体の横断面図であり、図２のIII-III線と同じ位置の横断面図である。
【図９】本発明の第二実施形態に係る棒状化粧料支持体を示す横断面図であり、図８に対応する図である。
【図１０】本発明の第三実施形態に係る棒状化粧料支持体を示す横断面図であり、図８に対応する図である。
【図１１】本発明の第四実施形態に係る棒状化粧料支持体を示す横断面図であり、図８に対応する図である。
【符号の説明】
【００５７】
３，１３，２３，３３…棒状化粧料支持体、３ｃ…基部、３ｄ…支持片、３ｆ，１３ｆ，２３ｆ，３３ｆ，３３ｆｆ…突条、３ｇ，１３ｇ，２３ｇ，３３ｇ，３３ｇｇ…突条の横断面形状における先端、Ｍ…棒状化粧料、Ｍｙ…支持片内周面の周方向端縁、Ｏ…軸心、ｘ…長軸、ｙ…短軸。
【図１】
0004510714.tif 000002
【図２】
0004510714.tif 000003
【図３】
0004510714.tif 000004
【図４】
0004510714.tif 000005
【図５】
0004510714.tif 000006
【図６】
0004510714.tif 000007
【図７】
0004510714.tif 000008
【図８】
0004510714.tif 000009
【図９】
0004510714.tif 000010
【図１０】
0004510714.tif 000011
【図１１】
0004510714.tif 000012